(57)【要約】      （修正有）【課題】従来の木魚の形態とは異なるさまざまな形状をもち、外部からの固定手段や固定のための部材を設けなくとも、叩いたときにもっとも音がよい位置が上になるように位置が常に安定する木魚を提供する。【解決手段】木魚１は、少なくとも底部表面が凸面状である中空体２と、該中空体の底部に取り付けられた錘３からなり、前記中空体と錘とを合わせた重心が、前記中空体の重心よりも、中空体の底部に近い位置にある。錘は、中空体に設けられた孔に嵌合される。【選択図】図１ｂ
0003130279.tif 000002
【実用新案登録請求の範囲】
【請求項１】
少なくとも底部表面が凸面状である中空体と、
該中空体の底部に取り付けられた錘からなり、
前記中空体と錘とを合わせた重心が、前記中空体の重心よりも、中空体の底部に近い位置にある木魚。
【請求項２】
前記中空体の底部表面が、曲面である請求項１記載の木魚。
【請求項３】
前記中空体の底部表面が、多面体状である請求項１記載の木魚。
【請求項４】
前記中空体の底部表面が、曲面および多面体の組み合わせの形状を有してなる請求項１記載の木魚。
【請求項５】
前記錘が、中空体の底部に設けられた孔に嵌合されてなる請求項１〜４のいずれか１項に記載の木魚。
【請求項６】
前記中空体が、球形または略球形であることを特徴とする請求項１、２、５のいずれか１項に記載の木魚。
【考案の詳細な説明】
【技術分野】
【０００１】
本考案は、木魚に関する。さらに詳述すると、本考案は、錘をつけた木魚に関する。
【背景技術】
【０００２】
木魚は、木をくりぬいてつくられ、魚または竜を象っている。それを、先端を布や革で包んだバイまたはバチで打って鳴らし、読経、念仏、唱題などの調子を取るのに用いられる。また、宗教用具としてだけでなく、楽器としても用いられる。
【０００３】
従来の木魚は図５に示したように、叩いたときに音を出す略球形体の部材Ｂと、該略球形体の部分を支える魚の尾のような部材Ｆから構成されている。また、側面には魚鱗の彫刻が施されていることが多い。尾状部材Ｆは、装飾としての機能と、木魚を固定する機能を有する。
【０００４】
木魚に関連する考案には、「携帯しやすい木魚」（特許文献１）、「滑り止めバンド付木魚布団」（特許文献２）などがある。
【０００５】
【特許文献１】実願平６−１２６８４号公報
【特許文献２】実願２０００−２７０９号公報
【考案の開示】
【考案が解決しようとする課題】
【０００６】
しかし、これらの考案で使用される木魚は、従来と同様の魚型の木魚であり（特許文献１（図１）、特許文献２（図２）参照）、かわいさやデザイン性を求める昨今の風潮に応える木魚は考案されてこなかった。そこで本考案は、このようなニーズに応える木魚を提供することを課題とする。このために、従来の木魚で使用される固定のための尾状部材Ｆを使用する必要のない、従来の木魚とはまったく異なる外観の木魚を提供することを課題とする。
【０００７】
ここで、従来の木魚から尾状部材Ｆを取り除いた木魚を製造すると、木魚の位置が安定しないという不都合が生じる。たとえば、木魚を完全な球形に形成すると木魚が転がっていってしまう。また、布団などの上において転がっていくことを防止しても、木魚が布団上で回転して、叩く位置がずれてしまう。木魚は、叩いたときに音が響く位置と、響かない位置があるため、回転して位置がずれると音が悪くなる。回転防止には、木魚を固定軸で台座などに固定することが考えられるが、この場合、かわいさやデザイン性が失われる。また、持ち運びにも不便であり、製造の手間もかかる。
【０００８】
本考案は、このような問題を解決するため、固定手段を用いずに位置が安定し、平面状に置いても転がらず、叩いて回転しても、起き上がり小法師のように自然に元の位置に戻る木魚を提供することを目的とする。これにより、さまざまな形状の木魚を提供することも本考案の目的である。
【課題を解決するための手段】
【０００９】
本考案の木魚は、少なくとも底部表面が凸面状である中空体と、該中空体の底部に取り付けられた錘からなり、前記中空体と錘とを合わせた重心が、前記中空体の重心よりも、中空体の底部に近い位置にあることを特徴とする。
【００１０】
ここで、凸面状とは、木魚の底部表面が全体として外側に張り出していることを表し、図６（ａ）に示すような部分的な凹凸を含んでいるものを含む。しかし、図６（ｂ）に示すような、底部表面が全体として凹状であるものは含まない。すなわち、木魚を平面に置いたときに、木魚が前後および／または左右に揺れうる形状を中空体が有する。
【００１１】
また、中空体の底部表面が、曲面であることが好ましい。
【００１２】
また、従来とはまったく異なる形状の木魚を提供できるので、中空体の底部表面が、多面体状であることが好ましい。
【００１３】
また、さらにさまざまな形状の木魚を提供できるので、中空体の底部表面が、曲面および多面体の組み合わせの形状を有することが好ましい。
【００１４】
また、中空体の底部表面の曲面が、球面状または円弧状であることが好ましい。
【００１５】
また、音がよいので、中空体が、木材をくりぬいて形成されることが好ましい。
【００１６】
また、簡単に錘が取り付けられるので、錘が、中空体の底部に設けられた孔に嵌合されることが好ましい。
【００１７】
また、同様の理由で、錘が、中空体の内側表面に接着されてなることが好ましい。
【００１８】
また、錘の挿入部分が目立たないので、孔に挿入された錘の露出面が、中空体の外周面に沿う形状に形成されてなることが好ましい。
【００１９】
また、同様の理由で、前記孔に挿入された錘の露出面が平面であり、該錘の露出面の外縁が、該孔の外縁に一致するように形成されてなることが好ましい。
【００２０】
また、容易に錘を挿入できるので、孔に挿入された錘の露出面が、中空体の外周面よりも内側になることが好ましい。
【００２１】
また、錘の取り付け位置を目立たなくさせるため、または、逆に模様として目立たせるために、錘の露出面の上に詰め部材が設けられ、詰め部材の露出面の外縁が、孔の外縁とほぼ一致するように形成されることが好ましい。
【００２２】
また、前記詰め部材が、突板またはフェルトであることが好ましい。
【００２３】
また、中空体が、球形または略球形であることが好ましい。
【考案の効果】
【００２４】
本考案の木魚によれば、底部表面が凸面状であるため、木魚を平面上に置いて力を加えると、木魚が回転または振動するが、木魚に錘が取り付けられるので、起き上がり小法師のように元の位置にもどる。これにより、叩いたときにもっとも音がよい位置が上になるように木魚の位置を常に安定させることができる。さらに、位置の安定のための固定部材や従来のような尾状部材Ｆを用いずに済むため、さまざまな形状の木魚を提供することができ、持ち運びも容易である。さらに、複雑な形状の固定部材を必要としないため、製造コストが抑えられる。さらに、起き上がるという現象は、見た目に面白く、縁起がよいと認識される効果がある。
【考案を実施するための最良の形態】
【００２５】
本考案の木魚は、少なくとも底部表面が凸面状である中空体と、該中空体の底部に取り付けられた錘からなり、前記中空体と錘とを合わせた重心が、前記中空体の重心よりも、中空体の底部に近い位置にある。
【００２６】
以下、添付図面を参照しながら、本考案の木魚を詳細に説明する。
【００２７】
図１（ａ）、（ｂ）、（ｃ）、および（ｄ）は、それぞれ、本考案の木魚１の断面図であり、図２（ａ）は側面図、（ｂ）は斜視図、図４は背面図である。木魚１の製造過程では、まず、木材を切り出し、中をくりぬいて中空体２を形成する。くりぬきの技術は、従来の木魚作成と同様に行なうことができる。木材は、音が良いので、クス、台湾ヒノキ、ホウ、桐などが使用される。中空体２は、さまざまな大きさに製造可能である。中空体２は、木の地肌をそのまま利用しても良く、ニス塗りや着色を行なってもよい。
【００２８】
くりぬきで形成される開口部４は、図２（ａ）、図３（ａ）（ｂ）に示したように、さまざまな形状にすることができる。
【００２９】
また、図１に示した木魚１は、全体が球形であるが、本考案の木魚はこれに限定されるものではなく、少なくとも底部表面が曲面または多面体状であればよい。たとえば、木魚全体の形態を回転楕円形または卵のような形状に形成してもよい。また、底部表面のみを球体表面の一部となるように形成し、上部はたとえば立方体、直方体などの任意の形にしてもよい。また、底部は球形以外に、円筒状、円弧状としてもよく、曲面であればよい。また、曲面でなくても、底部表面は、ミラーボールやサッカーボールのような多面体状であってもよい。また、一部が曲面で、一部が平面であるような形態であってもよい。使用時に横から力が加わると、木魚１が回転する形態または揺れ動く形態を有すればよい。
【００３０】
また、中空体２に合成樹脂その他の繊維でできた網またはネットをかぶせ、メロンのような形状とすることも可能である。全体に網状部材を設けてもよく、底部のみに網状部材を設けてもよい。
【００３１】
中空体２の開口部４と底部の位置関係は、任意に選択可能であるが、図１は、開口部４がほぼ水平面上に延びるように、中空体２の底部となる位置を定めた場合を示している。
【００３２】
次に、中空体２の前記底部に、錘３を嵌合するための孔５を設ける。図１の場合、孔５の位置を木魚の底として平面上に置くと、開口部４の位置が水平となり、音響と見た目の観点から好ましいが、別の位置に孔５をあけることも可能である。孔５は、ドリルなどであけられ、孔５の外壁が円柱状になることが、製造が容易なので好ましいが、四角柱など、別の形状でもよい。
【００３３】
錘３は、孔５と係合する形状に形成される。孔５と同様に、製造の容易性から、円柱形であることが好ましいが、ほかの形状でもよい。
【００３４】
錘３の材料は、銅、鉄、鉛などの金属製であることが、形を作るのが簡単であること、密度が高いので、小さくても錘として機能する充分な重さがあることから好ましい。
【００３５】
次に、図１（ａ）に示したように、錘３が、中空体２の底部に穿設された孔５に嵌合される。それ以外に、錘３は、開口部４から中空体２の内側に接着などの方法で設置されてなることもできる。
【００３６】
図１（ｂ）に示した木魚１の錘３の露出面は、中空体２の外周面に沿う形状（図１の場合は、球面）に形成される。これにより、錘３と中空体の接続面が滑らかになる。または、この露出面が平面となるように錘３を形成し、該錘３の露出面の外縁が、孔５の外縁と一致するようにしてもよい。
【００３７】
また、錘３の露出面は、中空体２の外周面よりも内側になっていてもよい。この場合、図１（ｃ）に示すように、錘３の露出面の上に詰め部材Ｃを設けてもよい。このとき、詰め部材Ｃの露出面を、その外縁が孔５の外縁と一致するような平面としてもよく、また、詰め部材Ｃの露出面が、中空体２の外周面に沿う形状としてもよい。詰め部材Ｃとしては、突板、フェルト、ゴム、金属、紙などの材料を用いることができる。
【００３８】
また、図１（ｄ）に示すように、孔５が設けられた中空体２の底部表面を一部平面で切り取り、錘３が、該孔５に係合する部分および切り取られた中空体２の部分と一致する部分からなるように形成してもよい。
【００３９】
図１（ｂ）および（ｄ）に示した実施の形態では、錘３の外側表面が、木魚１の外側表面に露出される。錘３の表面は、中空体２と同じ色または異なる色で着色してもよい。また、着色しなくてもよい。
【００４０】
図１（ｃ）に示した実施の形態では、錘３の上の凹所を充填する詰め部材Ｃが、木魚１の外側表面に露出される。詰め部材として、突板を使用すると、孔の跡が目立たない。また、模様として見えるように、詰め部材Ｃを中空体２とは異なる色で着色することもできる。
【００４１】
木魚は、着色しなくてもよいが、任意に着色およびニス塗り可能である。また、中空体には、模様を彫刻することもできる。
【００４２】
木魚１は、底に衝撃緩衝材を敷くと、音がよく響くようになる。衝撃緩衝材としては、フェルトのマット、または、従来から使用される小布団などが使用される。
【００４３】
前述したような構成でつくられた木魚１の使用状態を説明する。木魚１は、平面上に置かれると、錘３の取り付けられた部分が底になるように、自然に位置決めされる。これは、錘３を取り付けることによって、中空体２と錘３を合わせた木魚１全体の重心が、木魚１の底部に近い位置に移り、重心がもっとも低い位置になるように木魚が回転するからである。すなわち、錘３を取り付けた底部が下に位置するように、木魚１の向きが安定する。
【００４４】
木魚１は真上から叩かれたときには、横方向の力は働かないので移動しない。斜め上方から叩かれると、力を受けた向きに回転する。しかし、内部に錘３が取り付けられているため、転がっていかず、再び錘３が下になるように、揺れ戻る。こうして、叩くのにもっとも適した音響の良い部分が、常に上方になるように木魚１が位置決めされる。
【００４５】
これによって、たとえば図１〜図４に示したような球体または略球体の形状の木魚が提供される。さらに、ミラーボールやサッカーボールのような形状など、さまざまな形状の木魚が提供できる。これは、デザイン性に加えて、動きの面白さがあり、さらには「起き上がる」ということは、縁起がよいと認識される効果がある。
【００４６】
さらに、このような木魚は、従来の木魚に必要とされた尾状部材Ｆを必要とせず、成形が容易となるため、製造の手間およびコストを省くことができる。
【００４７】
この木魚は、仏具としての使用だけでなく、室内装飾品や楽器としても広く使用できる。
【図面の簡単な説明】
【００４８】
【図１ａ】本考案の木魚に、錘を嵌合する際の断面図である。
【図１ｂ】本考案の木魚の断面図である。
【図１ｃ】別の実施の形態における本考案の木魚の断面図である。
【図１ｄ】さらに別の実施の形態における本考案の木魚の断面図である
【図２】（ａ）は本考案の木魚の側面図であり、（ｂ）は本考案の木魚の斜視図である。
【図３】（ａ）および（ｂ）は、それぞれ別の実施の形態における本考案の木魚の側面図である。
【図４】本考案の木魚の背面図である。
【図５】従来の木魚の斜視図である。
【図６】（ａ）および（ｂ）は、それぞれ本考案の木魚の底部形態を説明するための図である。
【符号の説明】
【００４９】
１  木魚
２  中空体
３  錘
４  開口部
５  孔
１１  従来の木魚
Ｃ  詰め部材
Ｂ  従来の木魚の略球形体の部材
Ｆ  従来の木魚の魚の尾状の部材
【図１ａ】
0003130279.tif 000003
【図１ｂ】
0003130279.tif 000004
【図１ｃ】
0003130279.tif 000005
【図１ｄ】
0003130279.tif 000006
【図２】
0003130279.tif 000007
【図３】
0003130279.tif 000008
【図４】
0003130279.tif 000009
【図５】
0003130279.tif 000010
【図６】
0003130279.tif 000011